(57)【要約】【課題】外国人が歌いたいと思う楽曲を外国人に適切に提示し、外国人が楽曲の選択を迅速に行うことができるようにする。【解決手段】カラオケシステム１は、リモコン装置１１、カラオケ装置３１およびサーバ装置５１を備えている。サーバ装置５１は、利用者がリモコン装置１１を操作して選択した表示言語を示す言語ＩＤ、および利用者がリモコン装置１１を操作して選択した楽曲を示す楽曲ＩＤに基づいて、利用者により選択された楽曲を利用者により選択された日本語以外の表示言語ごとに順位付けした言語別楽曲ランキングを生成し、それをリモコン装置１１へ送信する。リモコン装置１１は、現在設定されている表示言語と同一の表示言語を選択した利用者により選択された楽曲を順位付けした言語別楽曲ランキングを表示部１５に表示する。【選択図】図１
2020056819.tif 000002
【特許請求の範囲】
【請求項１】
楽曲を演奏するカラオケ装置と、前記カラオケ装置を遠隔操作するリモコン装置と、サーバ装置とを備えたカラオケシステムであって、
前記リモコン装置は、
利用者の選択に基づいて楽曲を特定する楽曲特定部と、
利用者の選択に基づいて当該リモコン装置が有する表示部の表示言語を設定する言語設定部と、
前記言語設定部により設定された表示言語の言語識別情報、および前記楽曲特定部により特定された楽曲の楽曲識別情報を前記カラオケ装置へ送信する第１の情報送信制御部と、
前記サーバ装置から送信された言語別楽曲ランキングデータを受信するランキング受信制御部と、
前記ランキング受信制御部により受信された前記言語別楽曲ランキングデータを当該リモコン装置が有する第１の記憶部に記憶するランキング記憶制御部と、
前記言語設定部により設定されている表示言語が日本語以外であるときに、前記第１の記憶部に記憶された前記言語別楽曲ランキングデータに基づいて、前記言語設定部により設定されている表示言語と同一の表示言語を選択した利用者により選択された楽曲を順位付けした言語別楽曲ランキングを前記表示部に表示するランキング表示制御部とを備え、
前記カラオケ装置は、
前記リモコン装置から送信された前記言語識別情報および前記楽曲識別情報を受信する第１の情報受信制御部と、
前記第１の情報受信制御部により受信された前記楽曲識別情報によって特定される楽曲を演奏する演奏部と、
前記第１の情報受信制御部により受信された前記言語識別情報および前記楽曲識別情報を前記サーバ装置へ送信する第２の情報送信制御部とを備え、
前記サーバ装置は、
前記カラオケ装置から送信された前記言語識別情報および前記楽曲識別情報を受信する第２の情報受信制御部と、
前記第２の情報受信制御部により受信された前記言語識別情報および前記楽曲識別情報を相互に対応付けて、当該サーバ装置が有するまたは当該サーバ装置に接続された第２の記憶部に記憶する情報記憶制御部と、
相互に対応付けられて前記第２の記憶部に記憶された前記言語識別情報および前記楽曲識別情報に基づき、所定の方法によって、利用者により選択された楽曲を利用者により選択された日本語以外の表示言語ごとに順位付けした前記言語別楽曲ランキングを生成するランキング生成部と、
前記ランキング生成部により生成された前記言語別楽曲ランキングのデータを前記言語別楽曲ランキングデータとして前記リモコン装置へ送信するランキング送信制御部とを備えていることを特徴とするカラオケシステム。
【請求項２】
前記ランキング生成部は、前記第２の記憶部に記憶された複数の前記楽曲識別情報のうち、同一の前記言語識別情報に対応付けられた同一の前記楽曲識別情報の個数をカウントすることにより、利用者により選択された各楽曲の選択回数を利用者により選択された日本語以外の表示言語ごとに認識し、利用者により選択された楽曲を利用者により選択された日本語以外の表示言語ごとに前記選択回数の多い順に順位付けするという方法により前記言語別楽曲ランキングを生成することを特徴とする請求項１に記載のカラオケシステム。
【請求項３】
前記カラオケ装置は、前記演奏部による楽曲の演奏時に入力された歌唱音声を採点する歌唱採点部を備え、
前記第２の情報送信制御部は、前記第１の情報受信制御部により受信された前記言語識別情報および前記楽曲識別情報、並びに前記歌唱採点部による前記歌唱音声の採点結果を示す歌唱点数を前記サーバ装置へ送信し、
前記第２の情報受信制御部は、前記カラオケ装置から送信された前記言語識別情報、前記楽曲識別情報および前記歌唱点数を受信し、
前記情報記憶制御部は、前記第２の情報受信制御部により受信された前記言語識別情報、前記楽曲識別情報および前記歌唱点数をそれぞれ相互に対応付けて前記第２の記憶部に記憶し、
前記ランキング生成部は、前記第２の記憶部に記憶された複数の前記楽曲識別情報のうち、同一の前記言語識別情報に対応付けられた同一の前記楽曲識別情報を特定し、当該特定した同一の前記楽曲識別情報にそれぞれ対応付けられた前記歌唱点数の平均値を算出することにより、利用者により選択された各楽曲の前記歌唱点数の平均値を利用者により選択された日本語以外の表示言語ごとに認識し、利用者により選択された楽曲を利用者により選択された日本語以外の表示言語ごとに前記歌唱点数の平均値が高い順に順位付けするという方法により前記言語別楽曲ランキングを生成することを特徴とする請求項１に記載のカラオケシステム。
【発明の詳細な説明】
【技術分野】
【０００１】
本発明は、楽曲を演奏するカラオケ装置、カラオケ装置を遠隔操作するリモコン装置、およびサーバ装置を備えたカラオケシステムに関する。
【背景技術】
【０００２】
カラオケシステムにおいて、リモコン装置は、利用者により選択された楽曲の楽曲ＩＤをカラオケ装置へ送信し、カラオケ装置は、リモコン装置から送信された楽曲ＩＤに対応する楽曲を演奏する。
【０００３】
リモコン装置には、個々の楽曲の曲名、歌手名およびジャンル等を示す情報を集めた楽曲索引データが記憶されている。利用者がリモコン装置を操作して、歌いたい楽曲の曲名、歌手名またはジャンル等を指定すると、リモコン装置が、利用者の指定に基づいて楽曲索引データを検索し、利用者の指定に合致したいくつかの楽曲の曲名等をリモコン装置の画面に表示する。続いて、利用者がリモコン装置を操作して、リモコン装置の画面に曲名等が表示された楽曲の中から、歌いたい一曲を選択し、カラオケ装置へその楽曲の演奏を予約するための予約ボタンを押すと、リモコン装置からカラオケ装置へ楽曲ＩＤが送信される。
【０００４】
ところで、楽曲索引データに登録された楽曲の数は膨大であるため、利用者が楽曲の曲名、歌手名、ジャンル等に基づいて楽曲を選択するのに長い時間がかかることがある。そこで、従来のカラオケシステムの中には、ヒット曲のランキングや、多くの利用者が過去に選択した楽曲のランキング等をリモコン装置の画面に表示する機能を有しているものがある。このような楽曲のランキング中には、利用者が歌いたいと思う楽曲が含まれていることが多い。楽曲のランキングを表示することにより、利用者が歌いたいと思う楽曲を利用者に提示することができる。したがって、利用者は楽曲のランキングを見ることにより、楽曲の選択を迅速に行うことができる。
【０００５】
下記の特許文献１には、過去の複数の利用者の楽曲の演奏ログに基づき、利用者の性別、年齢または職業等の属性ごとの楽曲のランキングを示すリストファイルを作成し、利用者が楽曲を選択する際に、その利用者の属性に合致した楽曲のランキングを示すリストファイルを利用者に対して表示する楽曲選択補助システムが記載されている。この楽曲選択補助システムでは、利用者ＩＤと利用者の属性情報とを紐付けて予め登録しておく。そして、利用者がカラオケ装置端末を利用するときに、カラオケ装置端末等がＩＤカード読取装置等により利用者ＩＤを認識し、認識した利用者ＩＤに紐付けられた利用者の属性を認識し、認識した利用者の属性に合致した楽曲のランキングのリストファイルを表示する。
【先行技術文献】
【特許文献】
【０００６】
【特許文献１】特開２００６−９９０００号公報
【発明の概要】
【発明が解決しようとする課題】
【０００７】
ところで、近年、外国人観光客の増加等により、日本に短期間滞在する外国人がカラオケシステムを利用してカラオケを楽しむケースが多くなってきている。このような外国人がカラオケシステムのリモコン装置を操作して楽曲を選択するとき、リモコン装置の画面に表示される楽曲のランキング中に外国人が歌いたいと思う楽曲が少なく、そのため、外国人が楽曲の選択を迅速に行うことができない場合があるという問題がある。
【０００８】
すなわち、リモコン装置の画面にヒット曲のランキングが表示される場合、そのランキングは、日本におけるヒット曲のランキングである。そのため、ランキング中に、外国人が歌いたいと思う楽曲が少ない。また、リモコン装置の画面に、利用者が過去に選択した楽曲のランキングが表示される場合、過去の利用者の多くが日本人であるため、そのランキングは日本人向けの楽曲ランキングとなっている。それゆえ、ランキング中に、外国人が歌いたいと思う楽曲が少ない。したがって、これらのランキングは、外国人が歌いたいと思う楽曲を外国人に提示する効果を発揮せず、外国人の楽曲の選択の迅速化に貢献しない場合がある。
【０００９】
また、上記特許文献１に記載された楽曲選択補助システムでは、利用者の属性に合致した楽曲のランキングのリストファイルを表示することができるが、これを実行させるためには、利用者ＩＤと利用者の属性情報とを紐付けて予め登録しておく必要がある。日本に居住して継続的にカラオケを楽しむ者と比較して、日本に短期間滞在中に単発的にカラオケを楽しむ外国人が、利用者ＩＤと利用者の属性情報を登録するといった手間のかかる作業を行う可能性は低い。したがって、このような外国人に対して、上記楽曲選択補助システムはほぼ機能しないと考えられる。
【００１０】
本発明は例えば上述したような問題に鑑みなされたものであり、本発明の課題は、外国人が歌いたいと思う楽曲を外国人に適切に提示することができ、外国人が楽曲の選択を迅速に行うことができるカラオケシステムを提供することにある。
【課題を解決するための手段】
【００１１】
上記課題を解決するために、本発明は、楽曲を演奏するカラオケ装置と、カラオケ装置を遠隔操作するリモコン装置と、サーバ装置とを備えたカラオケシステムであって、次の特徴を有している。すなわち、リモコン装置は、利用者の選択に基づいて楽曲を特定する楽曲特定部と、利用者の選択に基づいてリモコン装置が有する表示部の表示言語を設定する言語設定部と、言語設定部により設定された表示言語の言語識別情報、および楽曲特定部により特定された楽曲の楽曲識別情報をカラオケ装置へ送信する第１の情報送信制御部と、サーバ装置から送信された言語別楽曲ランキングデータを受信するランキング受信制御部と、ランキング受信制御部により受信された言語別楽曲ランキングデータをリモコン装置が有する第１の記憶部に記憶するランキング記憶制御部と、前記言語設定部により設定されている表示言語が日本語以外であるときに、第１の記憶部に記憶された言語別楽曲ランキングデータに基づいて、言語設定部により設定されている表示言語と同一の表示言語を選択した利用者により選択された楽曲を順位付けした言語別楽曲ランキングを表示部に表示するランキング表示制御部とを備えている。また、カラオケ装置は、リモコン装置から送信された言語識別情報および楽曲識別情報を受信する第１の情報受信制御部と、第１の情報受信制御部により受信された楽曲識別情報によって特定される楽曲を演奏する演奏部と、第１の情報受信制御部により受信された言語識別情報および楽曲識別情報をサーバ装置へ送信する第２の情報送信制御部とを備えている。また、サーバ装置は、カラオケ装置から送信された言語識別情報および楽曲識別情報を受信する第２の情報受信制御部と、第２の情報受信制御部により受信された言語識別情報および楽曲識別情報を相互に対応付けて、サーバ装置が有するまたはサーバ装置に接続された第２の記憶部に記憶する情報記憶制御部と、相互に対応付けられて第２の記憶部に記憶された言語識別情報および楽曲識別情報に基づき、所定の方法によって、利用者により選択された楽曲を利用者により選択された日本語以外の表示言語ごとに順位付けした言語別楽曲ランキングを生成するランキング生成部と、ランキング生成部により生成された言語別楽曲ランキングのデータを言語別楽曲ランキングデータとしてリモコン装置へ送信するランキング送信制御部とを備えている。
【００１２】
本発明のカラオケシステムにおいては、例えば複数の利用者のそれぞれがリモコン装置を操作し、表示言語として韓国語を選択してから任意の楽曲を選択し、また、別の複数の利用者のそれぞれがリモコン装置を操作し、表示言語として中国語を選択して任意の楽曲を選択した場合、サーバ装置のランキング生成部は、表示言語として韓国語を選択した複数の利用者により選択された楽曲を所定の方法により順位付けした言語別楽曲ランキングと、表示言語として中国語を選択した複数の利用者により選択された楽曲を所定の方法により順位付けした言語別楽曲ランキングとを生成する。表示言語として韓国語を選択した複数の利用者により選択された楽曲を順位付けした言語別楽曲ランキングには、表示言語として韓国語を選択する利用者が歌いたいと思う楽曲が多く含まれていると考えられる。また、表示言語として中国語を選択した複数の利用者により選択された楽曲を順位付けした言語別楽曲ランキングには、表示言語として中国語を選択する利用者が歌いたいと思う楽曲が多く含まれていると考えられる。このように、本発明のカラオケシステムによれば、日本語以外の表示言語を選択した利用者が歌いたいと思う楽曲が多く含まれる言語別楽曲ランキングを生成することができる。
【００１３】
さらに、本発明のカラオケシステムにおいては、例えば、利用者がリモコン装置を操作して表示言語として韓国語を選択してから楽曲を選択する際に、リモコン装置のランキング表示制御部が、言語設定部により現在設定されている表示言語と同一の表示言語、すなわちこの場合、韓国語を選択した利用者により選択された楽曲を順位付けした言語別楽曲ランキングをリモコン装置が有する表示部に表示する。したがって、韓国語を選択した利用者が楽曲を選択する際には、当該利用者が歌いたいと思う楽曲が多く含まれている言語別楽曲ランキングが表示されることとなる。このように、本発明のカラオケシステムによれば、日本語以外の表示言語を選択した利用者が歌いたいと思う楽曲を当該利用者に提示することができる。これにより、外国人が歌いたいと思う楽曲を外国人に適切に提示することができ、よって、外国人は楽曲の選択を迅速に行うことができる。
【００１４】
また、本発明のカラオケシステムによれば、言語別楽曲ランキングを、日本語以外の表示言語を選択した利用者が選択した楽曲の楽曲識別情報および当該利用者が選択した表示言語の言語識別情報に基づいて生成することができる。したがって、言語別楽曲ランキングを生成するために、外国人に、利用者ＩＤの登録を行わせる必要がなく、利用者の属性情報の登録を行わせる必要もない。したがって、外国人に手間をかけさせることなく、効率よく、言語別楽曲ランキングを生成することができる。
【００１５】
また、本発明のカラオケシステムのリモコン装置のランキング表示制御部によれば、利用者が選択した日本語以外の表示言語に基づいて、その利用者が歌いたいと思う楽曲が多く含まれている言語別楽曲ランキングをリモコン装置の表示部に表示することができる。これにより、外国人が歌いたいと思う楽曲が多く含まれている言語別楽曲ランキングをリモコン装置の表示部に表示するために、外国人に、利用者ＩＤの登録を行わせる必要がなく、利用者の属性情報の登録を行わせる必要もない。したがって、外国人に手間をかけさせることなく、外国人が歌いたいと思う楽曲を効率よく当該外国人に提示することができる。
【００１６】
また、上記本発明のカラオケシステムにおいて、ランキング生成部は、第２の記憶部に記憶された複数の楽曲識別情報のうち、同一の言語識別情報に対応付けられた同一の楽曲識別情報の個数をカウントすることにより、利用者により選択された各楽曲の選択回数を利用者により選択された日本語以外の表示言語ごとに認識し、利用者により選択された楽曲を利用者により選択された日本語以外の表示言語ごとに上記選択回数の多い順に順位付けするという方法により言語別楽曲ランキングを生成する構成としてもよい。
【００１７】
このような構成を有するカラオケシステムにおいて、ランキング生成部は、例えば、韓国語を選択した複数の者によりそれぞれ選択された楽曲を、これらの者により選択された回数の多い順に順位付けした言語別楽曲ランキングを生成する。韓国語を選択した者により選択された回数の多い楽曲は、韓国語を選択する者の多くが歌いたいと思う楽曲であると考えられる。したがって、この言語別楽曲ランキングは、韓国語を選択する者が歌いたいと思う楽曲が多く含まれた楽曲ランキングとなる。
【００１８】
また、上記本発明のカラオケシステムを次のような構成としてもよい。すなわち、カラオケ装置は、演奏部による楽曲の演奏時に入力された歌唱音声を採点する歌唱採点部を備えている。また、第２の情報送信制御部は、第１の情報受信制御部により受信された言語識別情報および楽曲識別情報、並びに歌唱採点部による歌唱音声の採点結果を示す歌唱点数をサーバ装置へ送信する。また、第２の情報受信制御部は、カラオケ装置から送信された言語識別情報、楽曲識別情報および歌唱点数を受信する。また、情報記憶制御部は、第２の情報受信制御部により受信された言語識別情報、楽曲識別情報および歌唱点数をそれぞれ相互に対応付けて第２の記憶部に記憶する。また、ランキング生成部は、第２の記憶部に記憶された複数の楽曲識別情報のうち、同一の言語識別情報に対応付けられた同一の楽曲識別情報を特定し、当該特定した同一の楽曲識別情報にそれぞれ対応付けられた歌唱点数の平均値を算出することにより、利用者により選択された各楽曲の歌唱点数の平均値を利用者により選択された日本語以外の表示言語ごとに認識し、利用者により選択された楽曲を利用者により選択された日本語以外の表示言語ごとに歌唱点数の平均値が高い順に順位付けするという方法により言語別楽曲ランキングを生成する。
【００１９】
このような構成を有するカラオケシステムにおいて、ランキング生成部は、例えば、韓国語を選択した複数の者によりそれぞれ選択された楽曲を、歌唱点数の平均値の高い順に順位付けした言語別楽曲ランキングを生成する。韓国語を選択した複数の者によりそれぞれ選択された楽曲のうち、歌唱点数の平均値が高い楽曲は、韓国語を選択した者にとって歌い易い楽曲であると考えられ、それゆえ、その楽曲は、韓国語を選択する者の多くが歌いたいと思う楽曲であると考えられる。したがって、この言語別楽曲ランキングは、韓国語を選択する者が歌いたいと思う楽曲が多く含まれた楽曲ランキングとなる。
【発明の効果】
【００２０】
本発明のカラオケシステムによれば、外国人が歌いたいと思う楽曲を外国人に適切に提示することができる。したがって、外国人は楽曲の選択を迅速に行うことができる。
【図面の簡単な説明】
【００２１】
【図１】本発明の第１の実施形態のカラオケシステムの構成を示すブロック図である。
【図２】本発明の第１の実施形態のカラオケシステムのリモコン装置における処理を示すフローチャートである。
【図３】本発明の第１の実施形態のカラオケシステムにおいて、リモコン装置の表示部における３つの表示態様を示す説明図である。
【図４】本発明の第１の実施形態のカラオケシステムのカラオケ装置における処理を示すフローチャートである。
【図５】本発明の第１の実施形態のカラオケシステムのサーバ装置における処理を示すフローチャートである。
【図６】本発明の第１の実施形態のサーバ装置の記憶部に相互に対応付けられて記憶された言語ＩＤおよび楽曲ＩＤを示す説明図である。
【図７】本発明の第１の実施形態において、同一の言語ＩＤに対応付けられた同一の楽曲ＩＤのカウント値を示す説明図である。
【図８】本発明の第１の実施形態における言語別楽曲ランキングを示す説明図である。
【図９】本発明の第２の実施形態のカラオケシステムのカラオケ装置における処理を示すフローチャートである。
【図１０】本発明の第２の実施形態のカラオケシステムのサーバ装置における処理を示すフローチャートである。
【図１１】本発明の第２の実施形態のサーバ装置の記憶部に相互に対応付けられて記憶された言語ＩＤ、楽曲ＩＤおよび歌唱点数を示す説明図である。
【図１２】本発明の第２の実施形態において、同一の言語ＩＤに対応付けられた同一の楽曲ＩＤの歌唱点数の平均値を示す説明図である。
【図１３】本発明の第２の実施形態における言語別楽曲ランキングを示す説明図である。
【発明を実施するための形態】
【００２２】
＜第１の実施形態＞
（カラオケシステム）
図１は本発明の第１の実施形態のカラオケシステム１を示している。図１に示すように、カラオケシステム１は、リモコン装置１１、カラオケ装置３１およびサーバ装置５１を備えている。リモコン装置１１、カラオケ装置３１およびサーバ装置５１はそれぞれ相互に情報通信を行うことができる。例えば、カラオケ装置３１とリモコン装置１１との間には無線のローカルエリアネットワークが構築され、このローカルエリアネットワークはルータ３およびモデム４を介してインターネット等の広域なコンピュータネットワーク７に接続されている。また、サーバ装置５１はルータ５およびモデム６を介してコンピュータネットワーク７に接続されている。
【００２３】
（リモコン装置）
図１において、リモコン装置１１は、主にカラオケ装置３１を遠隔操作する装置である。リモコン装置１１は、例えば１０インチ程度のタッチパネルディスプレイを備えたタブレット型端末装置により構成されている。利用者は、リモコン装置１１を用いて、例えば、カラオケ装置３１からスピーカ４０を介して出力される楽曲音声および歌唱音声のそれぞれの音量を遠隔操作により調整することができる。また、利用者は、リモコン装置１１を用いて、カラオケ装置３１に演奏させる楽曲を検索し、選択することができる。また、利用者は、リモコン装置１１の表示部１５の表示言語、すなわち、曲名、歌手名、メッセージおよびボタン名等を表示部１５に表示するのに用いる言語を切り替えることができる。また、利用者は、表示言語が日本語以外であるときに、言語別楽曲ランキングをリモコン装置１１の表示部１５に表示させることができる。
【００２４】
リモコン装置１１は、演算処理部１２、記憶部１３（第１の記憶部）、操作部１４、表示部１５および通信部１６を有している。
【００２５】
演算処理部１２は例えばＣＰＵ（中央演算処理装置）等により構成されている。演算処理部１２はリモコン装置１１が有する各部１３〜１６を制御する。記憶部１３は例えばフラッシュメモリ等の半導体記憶素子等により構成されている。操作部１４および表示部１５は、リモコン装置１１を用いる利用者に対するユーザインターフェースである。操作部１４は例えばタッチパネル等により構成されている。表示部１５は例えば液晶ディスプレイ等により構成されている。通信部１６は、上述したローカルエリアネットワークおよび広域なコンピュータネットワーク７を介してカラオケ装置３１およびサーバ装置５１のそれぞれと情報通信を行うための通信回路等を備えている。
【００２６】
また、リモコン装置１１の演算処理部１２は、例えば、記憶部１３に記憶されたコンピュータプログラムを読み取って実行することにより、楽曲特定部２１、言語設定部２２、第１の情報送信制御部２３、ランキング受信制御部２４、ランキング記憶制御部２５およびランキング表示制御部２６として機能する。
【００２７】
楽曲特定部２１は、利用者の選択に基づいて楽曲を特定する。言語設定部２２は、利用者の選択に基づいて表示言語を設定する。第１の情報送信制御部２３は、言語設定部２２により設定された表示言語の言語ＩＤ（言語識別情報）、および楽曲特定部２１により特定された楽曲の楽曲ＩＤ（楽曲識別情報）をカラオケ装置３１へ送信する。ランキング受信制御部２４は、サーバ装置５１から送信された言語別楽曲ランキングデータを受信する。ランキング記憶制御部２５は、ランキング受信制御部２４により受信された言語別楽曲ランキングデータを記憶部１３に記憶する。ランキング表示制御部２６は、言語設定部２２により設定されている表示言語が日本語以外であるときに、記憶部１３に記憶された言語別楽曲ランキングデータに基づいて、言語設定部２２により現在設定されている表示言語と同一の表示言語を選択した利用者により選択された楽曲を順位付けした言語別楽曲ランキングを表示部１５に表示する。
【００２８】
また、リモコン装置１１の記憶部１３には、楽曲索引データおよび言語別ランキングデータ等が記憶されている。
【００２９】
（カラオケ装置）
図１において、カラオケ装置３１は、主に楽曲を演奏する装置である。カラオケ装置３１は、例えば、パーソナルコンピュータと同程度かそれ以上の情報処理能力を有するコンピュータ、大容量記憶装置、音源、およびオーディオ回路を備えた複合装置である。具体的には、カラオケ装置３１は、演算処理部３２、記憶部３３、操作部３４、表示部３５、通信部３６、音源３７およびオーディオ部３８を有している。
【００３０】
演算処理部３２は例えばＣＰＵ等により構成されている。演算処理部３２はカラオケ装置３１が有する各部３３〜３８を制御する。記憶部３３は例えばハードディスクドライブ等の大容量記憶装置等により構成されている。操作部３４は例えばタッチパネルまたはスイッチ類等により構成されている。表示部３５は例えば液晶ディスプレイ等により構成されている。通信部３６は、上述したローカルエリアネットワークおよび広域なコンピュータネットワーク７を介してリモコン装置１１およびサーバ装置５１のそれぞれと情報通信を行うための通信回路等を備えている。音源３７は例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）音源等のシンセサイザである。オーディオ部３８は、カラオケ装置３１に接続されたマイク３９から入力された歌唱音声信号と音源３７から出力された楽曲音声信号とをミックスして増幅し、カラオケ装置３１に接続されたスピーカ４０へ出力する機能を有しており、ミキサ回路およびアンプ回路等を備えている。また、カラオケ装置３１には大型の外部ディスプレイ４１が接続されている。上述した表示部３５は主にカラオケ装置３１の操作に要する情報を表示する役割を担うのに対し、外部ディスプレイ４１は、主に楽曲の演奏時に歌詞および映像を表示する役割を担う。
【００３１】
また、カラオケ装置３１の演算処理部３２は、例えば、記憶部３３に記憶されたコンピュータプログラムを読み取って実行することにより、第１の情報受信制御部４５、第２の情報送信制御部４６、演奏部４７および歌唱採点部４８として機能する。
【００３２】
第１の情報受信制御部４５は、リモコン装置１１から送信された言語ＩＤおよび楽曲ＩＤを受信する。第２の情報送信制御部４６は、第１の情報受信制御部４５により受信された言語ＩＤおよび楽曲ＩＤをサーバ装置５１へ送信する。演奏部４７は、第１の情報受信制御部４５により受信された楽曲ＩＤによって特定される楽曲を演奏する。歌唱採点部４８は、演奏部４７による楽曲の演奏時にマイク３９を介して入力された歌唱音声を採点する。
【００３３】
また、カラオケ装置３１の記憶部３３には、楽曲データ、歌詞データおよび映像データ等が記憶されている。
【００３４】
（サーバ装置）
図１において、サーバ装置５１は、楽曲管理、データ集計、リモコン装置１１またはカラオケ装置３１への追加プログラムや追加データの配信等を行う装置である。サーバ装置５１は、例えばサーバコンピュータにより構成されている。サーバ装置５１は、演算処理部５２、記憶部５３（第２の記憶部）、操作部５４、表示部５５および通信部５６を備えている。
【００３５】
演算処理部５２は例えばＣＰＵ等により構成されている。演算処理部５２はサーバ装置５１が有する各部５３〜５６を制御する。記憶部５３は例えばハードディスクドライブ等の大容量記憶装置等により構成されている。なお、記憶部５３は、内蔵の記憶装置でもよいし、外部接続の記憶装置でもよい。操作部５４は例えばキーボードおよびマウスであり、表示部５５は例えば液晶ディスプレイ装置である。通信部５６は、広域なコンピュータネットワーク７を介してリモコン装置１１およびカラオケ装置３１のそれぞれと情報通信を行うための通信回路等を備えている。
【００３６】
また、サーバ装置５１の演算処理部５２は、例えば、記憶部５３に記憶されたコンピュータプログラムを読み取って実行することにより、第２の情報受信制御部６１、情報記憶制御部６２、ランキング生成部６３およびランキング送信制御部６４として機能する。
【００３７】
第２の情報受信制御部６１は、カラオケ装置３１から送信された言語ＩＤおよび楽曲ＩＤを受信する。情報記憶制御部６２は、第２の情報受信制御部６１により受信された言語ＩＤおよび楽曲ＩＤを相互に対応付けて、記憶部５３に記憶する。ランキング生成部６３は、相互に対応付けられて記憶部５３に記憶された言語ＩＤおよび楽曲ＩＤに基づき、利用者により選択された楽曲を利用者により選択された日本語以外の表示言語ごとに順位付けした言語別楽曲ランキングを生成する。ランキング送信制御部６４は、ランキング生成部６３により生成された言語別楽曲ランキングのデータを言語別楽曲ランキングデータとしてリモコン装置１１へ送信する。
【００３８】
（リモコン装置における処理）
図２はリモコン装置１１における処理を示している。図３はリモコン装置１１の表示部１５における３つの表示態様を示している。図２において、リモコン装置１１がスリープ状態から起動状態に移行すると、リモコン装置１１の演算処理部１２は、まず操作メニューを表示部１５に表示する（ステップＳ１）。
【００３９】
図３（Ａ）はリモコン装置１１の表示部１５に表示された操作メニューの画面を示している。この画面中には、言語選択ボタン７１および３つの楽曲検索ボタン７３が表示されている。また、起動時において、表示言語の設定が日本語であったため、画面中のメッセージおよびボタン名等が日本語で表示されている。
【００４０】
利用者は、言語選択ボタン７１をタッチすることで、表示言語を選択することができる。具体的には、利用者が言語選択ボタン７１をタッチすると、表示部１５に複数の言語の中から１つの言語を表示言語として選択するための操作画面が表示部１５に表示される。利用者はその操作画面に従って表示言語を選択することができる。例えば、利用者は、表示言語として、日本語、英語、韓国語、中国語およびフィリピン語等の中から１つの言語を選ぶことができる。また、利用者は、３つの楽曲検索ボタン７３のうちのいずれかをタッチすることで、歌手名、曲名またはキーワードを手がかりにして、楽曲の検索および選択を行うことができる。演算処理部１２は、操作メニューを表示した後、利用者がこれらのボタンのいずれかをタッチするのを待っている。
【００４１】
利用者が言語選択ボタン７１をタッチし、上述した複数の言語の中から１つの言語を表示言語として選択した場合（ステップＳ２：ＹＥＳ）、リモコン装置１１の言語設定部２２が、その利用者の選択に従って表示言語を設定する（ステップＳ３）。これにより、表示部１５の画面中の曲名、歌手名、メッセージおよびボタン名等が、利用者が選択した言語で表示されるようになる。また、利用者が日本語以外の表示言語を選択した場合には、表示部１５の操作メニュー画面中に、ランキング表示ボタン７２が表示される。これにより、利用者は、ランキング表示ボタン７２をタッチすることで、言語別ランキングを表示させることが可能になる。図３（Ｂ）は、表示部１５の表示言語として英語が設定され、かつランキング表示ボタン７２が表示された状態を示している。
【００４２】
また、利用者がランキング表示ボタン７２をタッチした場合（ステップＳ４：ＹＥＳ）、リモコン装置１１のランキング表示制御部２６が表示部１５に言語別楽曲ランキングを表示する（ステップＳ５）。すなわち、リモコン装置１１の記憶部１３には言語別楽曲ランキングデータが記憶されている。後に詳述するように、言語別楽曲ランキングデータとは、利用者により選択された楽曲を利用者により選択された日本語以外の表示言語ごとに選択回数が多い順に順位付けした言語別楽曲ランキングのデータである。ランキング表示制御部２６は、言語設定部２２により設定されている表示言語が日本語以外であるときに、記憶部１３に記憶された言語別楽曲ランキングデータの中から、現在設定されている表示言語と同一の表示言語を選択した利用者により選択された楽曲を順位付けした言語別楽曲ランキングデータを特定し、その特定した言語別楽曲ランキングデータにより形成される言語別楽曲ランキングを表示部１５に表示する。例えば、表示部１５には、言語別楽曲ランキングとして順位付けされた複数の楽曲の曲名および歌手名等のリストが表示される。図３（Ｃ）は、表示言語として英語が設定されているときに利用者がランキング表示ボタン７２をタッチしたことにより、表示部１５に、表示言語として英語を選択した利用者により選択された楽曲を順位付けした言語別楽曲ランキング７６が表示された状態を示している。
【００４３】
また、利用者が楽曲検索ボタン７３をタッチして、楽曲を検索し、検索により見つけ出されたいくつかの楽曲の中から一曲を選択した場合（ステップＳ６：ＹＥＳ）、リモコン装置１１の楽曲特定部２１は、利用者により選択された楽曲の楽曲ＩＤを特定する（ステップＳ７）。すなわち、リモコン装置１１の記憶部１３には楽曲索引データが記憶されている。楽曲索引データは、個々の楽曲につき、楽曲ＩＤ、曲名、歌手名、ジャンル、キーワード等をそれぞれ対応付けて配列したデータである。利用者が例えば歌手名の楽曲検索ボタン７３をタッチしたとき、演算処理部１２は、歌手名を入力する画面を表示部１５に表示する。そして、利用者が所望の歌手名を入力したとき、演算処理部１２は、記憶部１３に記憶された楽曲索引データを検索し、利用者により入力された歌手名と合致する歌手名のいくつかの楽曲の曲名等を表示部１５に表示する。そして、利用者が表示部１５に曲名等が表示された楽曲の中から所望の楽曲を選択したとき、楽曲特定部２１は、当該選択された楽曲の楽曲索引データを参照し、当該選択された楽曲の楽曲ＩＤを特定する（具体的には、当該選択された楽曲の楽曲ＩＤを記憶部１３の一時記憶領域に記憶する）。
【００４４】
楽曲特定部２１により楽曲ＩＤが特定された後、演算処理部１２は楽曲索引データを参照し、当該特定された楽曲ＩＤに対応付けられた曲名、歌手名等と共に、カラオケ装置３１に対して楽曲の演奏の予約をするための予約ボタンと、楽曲の選択をやり直すための戻りボタンとを含む詳細画面を表示部１５に表示し、利用者が予約ボタンおよび戻りボタンのいずれかをタッチするのを待つ。そして、利用者が予約ボタンをタッチしたとき（ステップＳ８：ＹＥＳ）、リモコン装置１１の第１の情報送信制御部２３が、現在設定されている表示言語の言語ＩＤと、ステップＳ７で特定された楽曲ＩＤとをカラオケ装置３１へ送信する（ステップＳ９）。一方、利用者が戻りボタンをタッチしたとき、演算処理部１２は、処理をステップＳ１へ戻す（ステップＳ１０：ＹＥＳ）。
【００４５】
一方、リモコン装置１１の起動中およびスリープ中に、リモコン装置１１のランキング受信制御部２４が、カラオケ装置３１から送信された言語別楽曲ランキングデータを受信した場合には（ステップＳ１１：ＹＥＳ）、リモコン装置１１のランキング記憶制御部２５が、ランキング受信制御部２４により受信された言語別楽曲ランキングデータを記憶部１３に記憶し、記憶部１３に今まで記憶されていた旧い言語別楽曲ランキングデータを削除する。これにより、記憶部１３に記憶された言語別楽曲ランキングデータが更新される（ステップＳ１２）。
【００４６】
（カラオケ装置における処理）
図４はカラオケ装置３１における処理を示している。図４において、カラオケ装置３１の稼働中、カラオケ装置３１の第１の情報受信制御部４５は、リモコン装置１１から送信された言語ＩＤおよび楽曲ＩＤを受信する（ステップＳ２１）。
【００４７】
続いて、カラオケ装置３１の演奏部４７は、音源３７を制御し、第１の情報受信制御部４５により受信された楽曲ＩＤによって特定される楽曲を演奏すると共に、その楽曲に対応する歌詞および映像を外部ディスプレイ４１に表示する（ステップＳ２２）。
【００４８】
その後、カラオケ装置３１の第２の情報送信制御部４６が、第１の情報受信制御部４５により受信された言語ＩＤおよび楽曲ＩＤをサーバ装置５１へ送信する（ステップＳ２３）。
【００４９】
カラオケ装置３１の稼働中、ステップＳ２１〜Ｓ２３の処理は繰り返し実行される。また、第２の情報送信制御部４６が言語ＩＤおよび楽曲ＩＤをサーバ装置５１へ送信するタイミングは、第１の情報受信制御部４５が言語ＩＤおよび楽曲ＩＤをリモコン装置１１から受信した直後でもよいし、第１の情報受信制御部４５により受信された楽曲ＩＤにより特定される楽曲の演奏が終了した直後でもよい。または、第１の情報受信制御部４５により受信された言語ＩＤおよび楽曲ＩＤを対応付けて記憶部３３に蓄積しておき、蓄積された言語ＩＤおよび楽曲ＩＤを毎日所定の時間にサーバ装置５１へまとめて送信するようにしてもよい。
【００５０】
（サーバ装置における処理）
図５はサーバ装置５１における処理を示している。図５において、サーバ装置５１の稼働中、サーバ装置５１の第２の情報受信制御部６１が、カラオケ装置３１から送信された言語ＩＤおよび楽曲ＩＤを受信する（ステップＳ３１）。
【００５１】
続いて、サーバ装置５１の情報記憶制御部６２が、第２の情報受信制御部６１により受信された言語ＩＤおよび楽曲ＩＤを相互に対応付けて、サーバ装置５１の記憶部５３に記憶する（ステップＳ３２）。
【００５２】
続いて、サーバ装置５１のランキング生成部６３が、相互に対応付けられて記憶部５３に記憶された言語ＩＤおよび楽曲ＩＤに基づき、利用者により選択された楽曲を、利用者により選択された日本語以外の表示言語ごとに、それらの楽曲の選択回数の多い順に順位付けした言語別楽曲ランキングを生成する（ステップＳ３３）。
【００５３】
続いて、サーバ装置５１のランキング送信制御部６４が、ランキング生成部６３により生成された言語別楽曲ランキングのデータを言語別楽曲ランキングデータとしてリモコン装置１１へ送信する（ステップＳ３４）。この言語別楽曲ランキングデータが、図２中のステップＳ１１においてリモコン装置１１のランキング受信制御部２４により受信される。
【００５４】
サーバ装置５１の稼働中、ステップＳ３１〜Ｓ３４の処理は繰り返し実行される。また、言語別楽曲ランキングの生成は、カラオケ装置３１から送信された言語ＩＤおよび楽曲ＩＤが記憶部５３にある程度蓄積された後に行うことが望ましい。例えば、言語別楽曲ランキングの生成を数時間ごとまたは数日ごとに行ってもよい。または、言語別楽曲ランキングの生成を、記憶部５３に、相互に対応付けられた言語ＩＤおよび楽曲ＩＤの組が数十または数百組記憶されるごとに行ってもよい。
【００５５】
（言語別楽曲ランキングの生成）
サーバ装置５１のランキング生成部６３による言語別楽曲ランキングの生成方法は次の通りである。図５中のステップＳ３２において、サーバ装置５１の記憶部５３には、カラオケ装置３１から送信された言語ＩＤおよび楽曲ＩＤが相互に対応付けられて記憶される。図６は、サーバ装置５１の記憶部５３に相互に対応付けられて記憶された言語ＩＤおよび楽曲ＩＤを示している。図６によれば、サーバ装置５１の記憶部５３に、英語を示す言語ＩＤ「Ｅ］と楽曲ＩＤ「１２３４−０５」とが相互に対応付けられて記憶されている。また、記憶部５３に、韓国語を示す言語ＩＤ「Ｋ］と楽曲ＩＤ「３４８２−０８」とが相互に対応付けられて記憶されている。
【００５６】
ランキング生成部６３は、記憶部５３に記憶された複数の楽曲ＩＤのうち、同一の言語ＩＤに対応付けられた同一の楽曲ＩＤの個数をカウントすることにより、利用者により選択された各楽曲の選択回数を利用者により選択された日本語以外の表示言語ごとに認識する。図７は、同一の言語ＩＤに対応付けられた同一の楽曲ＩＤのカウント値を示している。図７によれば、記憶部５３には、英語を示す言語ＩＤ「Ｅ」に対応付けられた楽曲ＩＤ「２１３６−１２」が１２１５個記憶されている。この場合、ランキング生成部６３は、表示言語として英語を選択した利用者により楽曲ＩＤ「２１３６−１２」の楽曲が選択された回数が１２１５回であることを認識する。また、図７によれば、記憶部５３には、韓国語を示す言語ＩＤ「Ｋ」に対応付けられた楽曲ＩＤ「３４８２−０８」が３４８個記憶されている。この場合、ランキング生成部６３は、表示言語として韓国語を選択した利用者により楽曲ＩＤ「３４８２−０８」の楽曲が選択された回数が３４８回であることを認識する。
【００５７】
続いて、ランキング生成部６３は、利用者により選択された楽曲を、利用者により選択された日本語以外の表示言語ごとに、それらの楽曲の選択回数の多い順に順位付けする。図８は言語別楽曲ランキングの一例を示している。図８によれば、利用者により選択された楽曲ＩＤ「１２３４−０５」、「２１３６−１２」、「５３２１−１０」、「１４４８−１０」、「３９５６−０２」等の楽曲が、利用者により表示言語として選択された英語、韓国語、中国語およびフィリピン語ごとに、それらの楽曲の選択回数の多い順に順位付けされている。
【００５８】
このようにして、ランキング生成部６３により、例えば、表示言語として英語を選択した利用者により選択された楽曲をそれら楽曲の選択回数が多い順に順位付けした言語別楽曲ランキング、表示言語として韓国語を選択した利用者により選択された楽曲をそれら楽曲の選択回数が多い順に順位付けした言語別楽曲ランキング、表示言語として中国語を選択した利用者により選択された楽曲をそれら楽曲の選択回数が多い順に順位付けした言語別楽曲ランキング、および表示言語としてフィリピン語を選択した利用者により選択された楽曲をそれら楽曲の選択回数が多い順に順位付けした言語別楽曲ランキングがそれぞれ生成される。そして、これらの言語別楽曲ランキングのデータを含む言語別楽曲ランキングデータがカラオケ装置３１からリモコン装置１１へ送信される。
【００５９】
以上説明した通り、本発明の第１の実施形態のカラオケシステム１は、利用者により選択された楽曲を、利用者により選択された日本語以外の表示言語ごとに、それらの楽曲の選択回数が多い順に順位付けした言語別楽曲ランキングを生成する。この言語別楽曲ランキングは、外国人が歌いたいと思う楽曲が多く含まれていると考えられる。
【００６０】
さらに、本発明の第１の実施形態のカラオケシステム１は、言語別楽曲ランキングデータをサーバ装置５１からリモコン装置１１へ送信し、利用者がリモコン装置１１のランキング表示ボタン７２をタッチしたときに、言語別楽曲ランキングデータにより形成される言語別楽曲ランキングをリモコン装置１１の表示部１５に表示する。このとき、リモコン装置１１のランキング表示制御部２６は、現在設定されている日本語以外の表示言語と同一の表示言語を選択した利用者により選択された楽曲を順位付けした言語別楽曲ランキングを表示部１５に表示する。このように、本発明の第１の実施形態のカラオケシステム１によれば、外国人が歌いたいと思う楽曲を外国人に適切に提示することができる。よって、外国人は楽曲の選択を迅速に行うことができる。
【００６１】
＜第２の実施形態＞
図９は、本発明の第２の実施形態のカラオケシステムのカラオケ装置３１における処理を示している。図１０は、本発明の第２の実施形態のカラオケシステムのサーバ装置５１における処理を示している。本発明の第２の実施形態の特徴は、利用者により選択された楽曲を利用者により選択された日本語以外の表示言語ごとに歌唱点数の平均値が高い順に順位付けするという方法で言語別楽曲ランキングを生成することにある。
【００６２】
歌唱点数とは、カラオケ装置３１が有する歌唱採点機能により採点された利用者の歌唱の優劣を示す点数である。カラオケ装置３１は、図１に示すように、歌唱を採点する歌唱採点部４８を備えている。歌唱採点部４８は、カラオケ装置３１により演奏される楽曲に合わせてマイク３９から入力される利用者の歌唱音声の周波数と、当該演奏されている楽曲の旋律等のリファレンスデータの周波数とを比較して歌唱の基本点数を算出する。さらに、歌唱採点部４８は、歌唱音声からビブラート、抑揚、声質、タイミング、しゃくり等を検出して採点し、歌唱の付加点数を算出する。そして、歌唱採点部４８は、基本点数に付加点数を加算して、最終的な歌唱点数を求める。なお、歌唱採点の処理には周知の技術を用いることができる。
【００６３】
図９に示すように、第２の実施形態のカラオケシステムのカラオケ装置３１においては、第１の情報受信制御部４５が、リモコン装置１１から送信された言語ＩＤおよび楽曲ＩＤを受信し（ステップＳ４１）、カラオケ装置３１の演奏部４７が、第１の情報受信制御部４５により受信された楽曲ＩＤによって特定される楽曲の演奏等を行う（ステップＳ４２）。楽曲が演奏されている間、歌唱採点部４８は利用者の歌唱を分析する。そして、楽曲の演奏が終わった後、歌唱採点部４８が利用者の歌唱を採点し、歌唱点数を求める（ステップＳ４３）。続いて、第２の情報送信制御部４６が、第１の情報受信制御部４５により受信された言語ＩＤおよび楽曲ＩＤ、並びにステップＳ４３で求めた歌唱点数をサーバ装置５１へ送信する（ステップＳ４４）。
【００６４】
また、図１０に示すように、第２の実施形態のカラオケシステムのサーバ装置５１においては、第２の情報受信制御部６１が、カラオケ装置３１から送信された言語ＩＤ、楽曲ＩＤおよび歌唱点数を受信し（ステップＳ５１）、情報記憶制御部６２が、第２の情報受信制御部６１により受信された言語ＩＤ、楽曲ＩＤおよび歌唱点数をそれぞれ対応付けて、サーバ装置５１の記憶部５３に記憶する（ステップＳ５２）。その後、ランキング生成部６３が、相互に対応付けられて記憶部５３に記憶された言語ＩＤ、楽曲ＩＤおよび歌唱点数に基づき、利用者により選択された楽曲を、利用者により選択された日本語以外の表示言語ごとに、歌唱点数の平均値が高い順に順位付けした言語別楽曲ランキングを生成する（ステップＳ５３）。その後、ランキング送信制御部６４が、ランキング生成部６３により生成された言語別楽曲ランキングのデータを言語別楽曲ランキングデータとしてリモコン装置１１へ送信する（ステップＳ５４）。
【００６５】
本発明の第２の実施形態のカラオケシステムにおけるランキング生成部６３による言語別楽曲ランキングの生成方法は次の通りである。図１０中のステップＳ５２において、サーバ装置５１の記憶部５３には、カラオケ装置３１から送信された言語ＩＤ、楽曲ＩＤおよび歌唱点数が相互に対応付けられて記憶される。図１１は、第２の実施形態におけるサーバ装置５１の記憶部５３に相互に対応付けられて記憶された言語ＩＤ、楽曲ＩＤおよび歌唱点数を示している。図１１によれば、サーバ装置５１の記憶部５３に、英語を示す言語ＩＤ「Ｅ］と楽曲ＩＤ「１２３４−０５」と歌唱点数「７０．４２１」とがそれぞれ対応付けられて記憶されている。また、記憶部５３には、韓国語を示す言語ＩＤ「Ｋ］と楽曲ＩＤ「３４８２−０８」と歌唱点数「８２．０３７」とがそれぞれ対応付けられて記憶されている。
【００６６】
ランキング生成部６３は、記憶部５３に記憶された複数の楽曲ＩＤのうち、同一の言語ＩＤに対応付けられた同一の楽曲ＩＤを特定し、当該特定した同一の楽曲ＩＤにそれぞれ対応付けられた歌唱点数の平均値を算出することにより、利用者によって選択された各楽曲の歌唱点数の平均値を利用者により選択された日本語以外の表示言語ごとに認識する。図１２は、同一の言語ＩＤに対応付けられた同一の楽曲ＩＤの歌唱点数の平均値を示している。図１２によれば、記憶部５３に記憶された楽曲ＩＤのうち、英語を示す言語ＩＤ「Ｅ」に対応付けられた楽曲ＩＤ「２１３６−１２」の歌唱点数の平均値は「７８．１４２」である。この場合、ランキング生成部６３は、表示言語として英語を選択した利用者により選択された楽曲ＩＤ「２１３６−１２」の楽曲の歌唱平均値が７８．１４２点であることを認識する。
【００６７】
続いて、ランキング生成部６３は、利用者により選択された楽曲を、利用者により選択された日本語以外の表示言語ごとに、歌唱点数の平均値が高い順に順位付けする。図１３は第２の実施形態における言語別楽曲ランキングの一例を示している。図１３によれば、利用者により選択された楽曲ＩＤ「２１３６−１２」、「１２３４−０５」、「５３２１−１０」、「１４４８−１０」、「３９５６−０２」等の楽曲が、利用者により表示言語として選択された英語、韓国語、中国語およびフィリピン語ごとに、歌唱点数の高い順に順位付けされている。
【００６８】
例えば、表示言語として韓国語を選択した利用者により選択された楽曲のうち、歌唱点数が高い楽曲は、表示言語として韓国語を選択した多くの利用者にとって歌い易い楽曲であり、これらの利用者が歌いたいと思う楽曲であると考えられる。すなわち、第２の実施形態の言語別楽曲ランキングの生成方法によっても、外国人が歌いたいと思う楽曲が多く含まれる言語別楽曲ランキングを生成することができる。
【００６９】
なお、上述した第１の実施形態では、利用者がリモコン装置１１の表示部１５に表示されたランキング表示ボタン７２をタッチしたときに、言語別楽曲ランキングを表示部１５に表示する場合を例にあげた。しかしながら、本発明はこれに限らず、利用者が日本語以外の表示言語を選択したときに、言語別楽曲ランキングを表示部１５に自動的に表示するようにしてもよい。すなわち、表示部１５に表示されたメッセージやボタン名等の言語を、利用者が選択した言語に切り替えるのと同時に、言語別楽曲ランキングを表示するようにしてもよい。
【００７０】
また、本発明において、表示言語として選択可能な言語は実施形態で示した言語に限定されない。
【００７１】
また、サーバ装置５１は、相互に対応付けられて記憶部５３に記憶された言語ＩＤおよび楽曲ＩＤの中から、相互に対応付けられて記憶部５３に記憶された日本語以外の言語を示す言語ＩＤおよび楽曲ＩＤを特定し、これらに基づき、利用者により選択された楽曲を、利用者により選択された日本語以外の表示言語ごとに、それらの楽曲の選択回数の多い順に順位付けした言語別楽曲ランキングを生成してもよく、または、相互に対応付けられて記憶部５３に記憶された言語ＩＤ、楽曲ＩＤおよび歌唱点数の中から、相互に対応付けられて記憶部５３に記憶された日本語以外の言語を示す言語ＩＤ、楽曲ＩＤおよび歌唱点数を特定し、これらに基づき、利用者により選択された楽曲を、利用者により選択された日本語以外の表示言語ごとに、歌唱点数の高い順に順位付けした言語別楽曲ランキングを生成してもよい。また、これに代え、サーバ装置５１は、カラオケ装置３１から、楽曲ＩＤおよび日本語を示す言語ＩＤが送信されたとき、または楽曲ＩＤ、日本語を示す言語ＩＤおよび歌唱点数が送信されたときには、これらを記憶部５３に記憶しないようにしてもよい。また、これに代え、カラオケ装置３１は、楽曲ＩＤおよび日本語を示す言語ＩＤがリモコン装置１１から送信されたときには、これらの楽曲ＩＤおよび言語ＩＤを、またはこれらに歌唱点数を加えたものをサーバ装置５１に送信しないようにしてもよい。また、これに代え、リモコン装置１１は、表示言語として日本語が設定されているときには、カラオケ装置３１に楽曲ＩＤのみを送信し、カラオケ装置３１は、楽曲ＩＤのみがリモコン装置１１から送信されたときには、これをサーバ装置５１へ送信しないようにしてもよい。
【００７２】
また、リモコン装置１１の表示部１５に表示される言語別楽曲ランキングを例えばカラオケ装置３１に接続された外部ディスプレイ４１に表示できるようにしてもよい。また、言語別楽曲ランキングにより順位付けする楽曲数は上位数曲、上位数十曲、または上位数百曲でもよい。また、リモコン装置１１を用いた楽曲の選択方法は、実施形態で説明した方法に限定されない。
【００７３】
また、リモコン装置１１の表示部１５に表示された言語別楽曲ランキング中の楽曲の曲名等を利用者がタッチしたとき、表示部１５にその楽曲の詳細画面を表示し、楽曲の演奏の予約ができるようにしてもよい。
【００７４】
また、上述した実施形態では、言語別楽曲ランキングデータをサーバ装置５１からリモコン装置１１のみに送信することとしたが、言語別楽曲ランキングデータをカラオケ装置３１にも送信してもよい。
【００７５】
また、本発明では、リモコン装置１１としてスマートフォン等の携帯端末を用いることができる。
【００７６】
また、本発明のカラオケ装置とサーバ装置とを単一のコンピュータにより構成することとしてもよい。すなわち、単一のコンピュータにより、楽曲の演奏と言語別楽曲ランキングの生成との双方を行うようにしてもよい。この場合、第２の情報送信制御部が言語識別情報および楽曲識別情報をサーバ装置へ送信する処理、および第２の情報受信制御部がカラオケ装置から送信された言語識別情報および楽曲識別情報を受信する処理は、当該単一のコンピュータの記憶部内におけるデータの移動処理として実現される。
【００７７】
また、本発明は、請求の範囲および明細書全体から読み取ることのできる発明の要旨または思想に反しない範囲で適宜変更可能であり、そのような変更を伴うカラオケシステムもまた本発明の技術思想に含まれる。
【符号の説明】
【００７８】
１  カラオケシステム
１１  リモコン装置
１３  記憶部（第１の記憶部）
１５  表示部
２１  楽曲特定部
２２  言語設定部
２３  第１の情報送信制御部
２４  ランキング受信制御部
２５  ランキング記憶制御部
２６  ランキング表示制御部
３１  カラオケ装置
４５  第１の情報受信制御部
４６  第２の情報送信制御部
４７  演奏部
４８  歌唱採点部
５１  サーバ装置
５３  記憶部（第２の記憶部）
６１  第２の情報受信制御部
６２  情報記憶制御部
６３  ランキング生成部
６４  ランキング送信制御部
【図１】
2020056819.tif 000003
【図２】
2020056819.tif 000004
【図３】
2020056819.tif 000005
【図４】
2020056819.tif 000006
【図５】
2020056819.tif 000007
【図６】
2020056819.tif 000008
【図７】
2020056819.tif 000009
【図８】
2020056819.tif 000010
【図９】
2020056819.tif 000011
【図１０】
2020056819.tif 000012
【図１１】
2020056819.tif 000013
【図１２】
2020056819.tif 000014
【図１３】
2020056819.tif 000015